(57)【要約】  本発明は、生地抜き性が良く、ピアッシング不良が生じ難く、ポスト部の座屈不良やボタンの取付け不良が生じ難い中空のポスト部を有するボタン取付部材を提供する。本発明のボタン取付部材（１０、４０）は、ベース部（１１）と、ベース部（１１）から突出するポスト部（２０、５０）とを有し、ポスト部（２０、５０）は、三角錐状又は四角錐状のポスト頂部（２１、５１）と、ポスト頂部（２１、５１）とベース部（１１）との間に延びる円筒状のポスト胴部（２２、５２）とを含む中空のものである。ポスト頂部（２１、５１）は、三つ又は四つの錐面（２１ａ、５１ａ）と、これら錐面（２１ａ、５１ａ）間の三つの又は四つの稜部（２１ｂ、５１ｂ）とを有し、稜部（２１ｂ、５１ｂ）は、ポスト頂部（２１、５１）の外殻フレームとして機能する。ポスト胴部（２２、５２）は、稜部（２１ｂ、５１ｂ）に対応する周方向位置に軸線方向に長いスリット（２５、５５）又は溝（７５）を有する。
2010116501.tif 000002
【特許請求の範囲】
【請求項１】
ベース部（１１）と、ベース部（１１）から突出するポスト部（２０、５０）とを有し、ポスト部（２０、５０）をその突出端（２４）からシート材（１）に貫通させた後、加締めてボタン（３０）を係止させることにより、ボタン（３０）をシート材（１）に取り付けるボタン取付部材（１０、４０）において、
前記ポスト部（２０、５０）は、前記突出端（２４）を規定する三角錐状又は四角錐状のポスト頂部（２１、５１）と、ポスト頂部（２１、５１）とベース部（１１）との間に延びる筒状のポスト胴部（２２、５２、７２）とを含む中空のものであり、
ポスト頂部（２１、５１）は、三つ又は四つの錐面（２１ａ、５１ａ）と、これら錐面（２１ａ、５１ａ）間の三つ又は四つの稜部（２１ｂ、５１ｂ）とを有し、
ポスト胴部（２２、５２、７２）は、前記稜部（２１ｂ、５１ｂ）に対応するポスト部周方向位置にポスト部軸線方向に長い窪み（２５、５５、７５）を有するボタン取付部材。
【請求項２】
前記窪みは、ポスト胴部（２２、５２）の厚さを貫通するスリット（２５、５５）である請求項１のボタン取付部材。
【請求項３】
一枚の金属板を絞り加工して形成される請求項１のボタン取付部材。
【発明の詳細な説明】
【技術分野】
【０００１】
本発明は、ボタン取付部材に関し、更に詳しくは、スナップボタン、飾りボタン等のボタンを衣服や鞄の生地等に取り付けるためのボタン取付部材に関する。
【背景技術】
【０００２】
ボタンを衣服等の生地に取り付けるための部材として、円板状のベース部と、ベース部の中央から突出するポスト部とを有し、生地を貫通させたポスト部を加締めてボタンを生地に固定するリベット等のボタン取付部材が一般的に使用されている。このようなボタン取付部材には、ポスト部が中実のもの（例えば実開昭５９−１２８２１０号公報等参照）と中空のもの（例えば実開昭６２−１６４８０６号公報等参照）とがあり、中空タイプのものは、一般に一枚の金属板を絞り加工して形成され、中実タイプに比べ座屈変形性が良く、取付け時に要するプレス力が小さくて済む。その一方、中空タイプでは、ポスト部の先端を中実タイプに比べ尖らせることができず、そのため、生地の種類によっては生地抜き（貫通）性が悪かったり、糸引きなどを伴うピアッシング不良が生じ易く、また、生地抜き時にポスト部がベース部に対して傾く場合もあった。更に、中空のポスト部では、ボタンの生地への取付け時に取付けダイ（又はボタンの一部）でポスト部を潰す際、力がポスト部の先端から基端へと周方向に均等には伝わり難く、ポスト部が周方向に均等に潰れない場合があり、これは、上記の生地抜き時にポスト部が傾いた場合に一層顕著となる。このようなポスト部の座屈不良は、ボタンが生地から外れやすくなったり、ボタンの種類によっては体裁が悪くなるといったボタンの取付け不良をもたらす。
【先行技術文献】
【特許文献】
【０００３】
【特許文献１】実開昭５９−１２８２１０号公報
【特許文献２】実開昭６２−１６４８０６号公報
【発明の概要】
【発明が解決しようとする課題】
【０００４】
本発明は、以上のような点に着目してなされたもので、その目的は、生地抜き性が良く、ピアッシング不良が生じ難く、ポスト部の座屈不良やボタンの取付け不良が生じ難い中空のポスト部を有するボタン取付部材を提供することにある。
【課題を解決するための手段】
【０００５】
上記課題を解決するため、本発明によれば、ベース部と、ベース部から突出するポスト部とを有し、ポスト部をその突出端からシート材（生地の他に例えば樹脂シート等のシート状体を含む）に貫通させた後、加締めてボタンを係止させることにより、ボタンをシート材に取り付けるボタン取付部材において、前記ポスト部は、前記突出端を規定する三角錐状又は四角錐状のポスト頂部と、ポスト頂部とベース部との間に延びる筒状のポスト胴部とを含む中空のものであり、ポスト頂部は、三つ又は四つの錐面と、これら錐面間の三つ又は四つの稜部とを有し、ポスト胴部は、前記稜部に対応するポスト部周方向位置にポスト部軸線方向に長い窪みを有するボタン取付部材が提供される。【０００６】
本発明では、ボタン取付部材のポスト頂部が三角錐又は四角錐形状であるため、ポスト頂部が円錐状である場合に比べ、生地（シート材）への貫通時に三角錐又は四角錐の稜線に対応する１２０度間隔で三つの又は９０度間隔で四つの稜部で集中的に生地に切り込むことができるため、生地抜き性が高まり、糸引きし易い布地でもピアッシング不良が低減し、また、生地抜き時にポスト部が傾斜するような事態もなくなる。【０００７】
本発明ではまた、ボタン取付け時にポスト部を取付けダイ等によって潰す際、その力はポスト部の突出端からポスト頂部へ、次いでポスト頂部からポスト胴部へと伝達されるが、ポスト頂部からポスト胴部への力の伝達は、ポスト頂部の錐面よりはむしろ稜部を介して行われる。これは、稜部がポスト頂部の外殻フレーム的な役割を果たすからである。このように主に稜部を通じて伝わる力は、ポスト胴部において稜部に隣接する部分に最初に伝わるが、この位置には窪みが設けられてポスト胴部の座屈耐力が低下している。そのため、ポスト胴部の周方向１２０度間隔又は９０度間隔の窪み配置部分が窪み−窪み間の窪みの無い領域に比べ容易に座屈して半径方向に拡張する。【０００８】
本発明における「窪み」には、中空のポスト胴部を形成する板材を部分的に薄肉化する溝等の凹部の他、該板材を貫通するスリット等の貫通孔を含む。このような溝、スリット等を含む窪みは、ポスト部軸線方向に沿って、例えば、直線状、長円形状、長方形状、ミシン目状等に形成され得る。【０００９】
本発明に係るボタン取付部材は、一枚の金属板を絞り加工して形成され得る。金属としては、アルミニウム合金、真鍮等を好ましく挙げることができるが、これらに限定されるものではない。
【発明の効果】
【００１０】
本発明では、ボタン取付部材のポスト部のポスト頂部を三角錐又は四角錐状に形成したため、生地抜き性が良く、ピアッシング不良が生じ難い。また、ポスト頂部の稜部に対応するポスト胴部の周方向位置に窪みを設け、この位置部分でのポスト胴部の座屈耐力を低減したため、主として稜部から伝わるポスト部を潰そうとする力をポスト胴部の周方向１２０度又は９０度間隔の窪み配置部分で受け、このスリット配置部分が比較的容易に座屈して周方向１２０度又は９０度間隔にて半径方向に拡張する。そのため、ポスト部の座屈が周方向において偏ることなく、ボタンの取付け不良が生じ難い。
【図面の簡単な説明】
【００１１】
【図１】図１は、本発明の一実施形態に係るボタン取付部材の斜視図である。
【図２】図２は、図１のボタン取付部材の平面図（上面図）である。
【図３】図３は、図１のボタン取付部材の縦断面図である。
【図４】図４は、図３のＡ−Ａ線断面図である。
【図５】図５は、図３のＢ−Ｂ線断面図である。
【図６】図６は、ボタン取付部材によって雌スナップを生地に取り付ける際のポスト部を加締める前の状態を示す断面説明図である。
【図７】図７は、ボタン取付部材によって雌スナップを生地に取り付ける際のポスト部を加締めた後の状態を示す断面説明図である。
【図８】図８は、加締めた後のポスト部を示す図７のＣ−Ｃ線断面説明図である。
【図９】図９は、本発明の別の実施形態に係るボタン取付部材のポスト部の上半部を破断して示す斜視図である。
【図１０】図１０は、図４と同様の図９に対する破断断面図である。
【図１１】図１１は、ポスト胴部に溝を設けた例を破断して示す斜視図である。
【図１２】図１２は、図１１の横断面図である。
【発明を実施するための形態】
【００１２】
以下、本発明に係るボタン取付部材の好適な実施形態を図面に基づいて説明する。図１は、本発明の一実施形態に係るボタン取付部材１０の斜視図であり、図２及び３はボタン取付部材１０の平面図（上面図）及び（後述するスリット（窪み）２５の一つに沿う）縦断面図である。図４及び５は、図３のＡ−Ａ線及びＢ−Ｂ線にそれぞれ沿う横断面図である。ボタン取付部材１０は、一枚の金属板を絞り加工して形成されるもので、円形板状のベース部１１と、ベース部１１の中央部においてベース部１１から上方にベース部１１と同心状に突出し、突出端２４が閉じた中空のポスト部２０とを有する。ポスト部２０は、突出端２４を先端で規定する三角錐状のポスト頂部２１と、ポスト頂部２１とベース部１１との間に延びる円筒状のポスト胴部２２とを有する。ポスト胴部２２は、ベース部１１から径が次第に縮小するようになだらかに立ち上がるポスト基部２３を含み、ポスト胴部２２におけるポスト基部２３を除く部分は径が一定の円筒形状である。
【００１３】
ポスト頂部２１は、三角錐の三つの面にあたる三つのほぼ平らな錐面２１ａと、三角錐の三本の稜線にあたるが稜線に比べて幅広に形成された１２０度間隔の三つの稜部２１ｂとを有する。これら稜部２１ｂは突出端２４で交差し、また、下方へと次第に幅を広げながらポスト胴部２２に対し錐面２１ａに比べなだらかに連結する。更に、錐面２１ａは、ポスト頂部２１を、三角錐状ではなく稜部２１ｂをその一部として包含する円錐状に形成したと仮定した場合の仮想円錐に対し若干窪んでいる。そのため、稜部２１ｂはポスト頂部２１の外殻フレームを成し、詳しくは後述するが、ボタン取付時に突出端２４が真っ先に受けるポスト部２０を潰そうとする力は、（錐面２１ａではなく）主として稜部２１ｂを介してポスト胴部２２へと伝達される。ポスト頂部２１の錐面２１ａ及び稜部２１ｂは絞り加工時に用いる絞りダイによって成形される。
【００１４】
ポスト部２０のポスト胴部２２には、上述したポスト頂部２１の三つの稜部２１ｂに対応する周方向位置、すなわち各稜部２１ｂの延長線上に来る１２０度間隔位置に軸線方向に長い三つの窪みとしてのスリット２５が設けられる。スリット２５は、ポスト胴部２２の厚さを貫通し、また、ポスト胴部２２のポスト基部２３を除く円筒部分全長にわたるが、例えば、ポスト胴部２２の上半部のみにスリットを入れてもよい。
【００１５】
次に、以上のように構成されたボタン取付部材１０を用いてボタンの一例である雌スナップ３０を生地１に取り付ける場合を図６〜８を参照しつつ説明する。雌スナップ３０は、図示しない雄スナップの凸部を着脱自在に受け入れる凹部３１と、雄スナップの凸部との係合を強固にするためのスプリング３２と、生地１への取付け時に生地１を貫通したボタン取付部材１０のポスト部２０を雌スナップ３０の（凹部３１の）内部に受け入れるため、凹部３１の底板３３に設けた開口３４とを有する周知のものである。雌スナップ３０の生地１への取付けは、周知のプレス装置（図示せず）を使用して行われ、生地１を挟んで下方の取付けダイ（図示せず）にボタン取付部材１０を、上方の取付けダイ（図示せず）に雌スナップ３０をそれぞれ保持させた後、上方のダイを下方のダイへと同心状に降下させる。この際、まず、図６に示すように、ボタン取付部材１０のポスト部２０が突出端２４から生地１を貫通した後、雌スナップ３０の開口３４から雌スナップ３０の凹部３１内へと入り込む。この生地１の貫通時において、ポスト頂部２１が三角錐状に形成されているため、ポスト頂部２１の周方向１２０度間隔で三箇所の稜部２１ｂによって生地１を集中的に切り裂くことができるため、ポスト頂部２１が円錐状である場合に比べ、生地抜き性が良く、糸引き等も少ない。
【００１６】
図６の状態から、上方のダイによってポスト部２０が下方にプレスされ、図７に示すように軸方向に潰される（変形後のポスト部を２０’で表す）。これにより、ポスト部２０は雌スナップ３０の底板３３上で半径方向に拡張するように加締められ、このように変形したポスト部２０’は開口３４から抜脱不能となって、雌スナップ３０を生地１上に係止固定する。このポスト部２０の変形時において、上方のダイがポスト部２０を下方にプレスする力は、まずポスト部２０の突出端２４が受け、これがポスト頂部２１からポスト胴部２２へと伝わるが、上述したようにポスト頂部２１において稜部２１ｂがその外殻フレームとして機能するため、上記プレス力は主に稜部２１ｂからポスト胴部２２における稜部２１ｂ直下のスリット２５が設けられた部分へと伝達される。このポスト胴部２２のスリット２５配置部分は、スリット２５によって軸方向の座屈耐性が弱められているため、ポスト胴部２２は周方向１２０間隔のスリット２５配置部分がスリット２５−スリット２５間領域よりも容易に座屈して、図８に示すように、スリット２５配置部分が半径方向により大きく拡張する。このようにポスト部２０は周方向にほぼ均等に変形するため、座屈が周方向において偏ることはない。
【００１７】
図９は、本発明の別の実施形態に係るボタン取付部材４０のポスト部５０の上半部を破断して示す斜視図であり、図１０は、図４と同様の図９の断面図である。ポスト部５０は、四角錐状に形成されたポスト頂部５１と、円筒状のポスト胴部５２とから成る。ポスト頂部５１は、四つの錐面５１ａと、９０度間隔の四つの稜部５１ｂとを有し、更に、ポスト胴部５２には、各綾部５１ｂに対応する９０度間隔位置に軸方向に長い四つのスリット５５が設けられる。ボタン取付部材４０では、ボタンの生地への取付け時にポスト胴部５２が９０度間隔のスリット５５配置部分にて半径方向により大きく拡張する。
【００１８】
上述したボタン取付部材１０、４０ではポスト胴部２２、５２にスリット２５、５５を入れた例を示したが、本発明では、図１１及びその水平断面である図１２に破断して示すように、スリット２５、５５に代えてポスト胴部７２に窪みとしての溝７５を設けることができる。なお、図１１及び１２のボタン取付部材は、溝７５付きのポスト胴部７２以外は、図１のボタン取付部材１０と同じ構成であるため、他の部分についての参照番号は省略する。溝７５は、図１２に示すように、ポスト胴部７２の外表面から半径方向内側へと窪むが、ポスト胴部７２の厚さを貫通しない。このような溝７５を設けることによっても、ポスト胴部７２の座屈耐力を周方向に部分的に減じて、ボタン取付け時に既述した図１等のスリット２５付きポスト胴部２２と同様に溝７５配置部分を半径方向に大きく変形させることができる。
【符号の説明】
【００１９】
１  生地（シート材）
１０、４０  ボタン取付部材
１１  ベース部
２０、２０’、５０  ポスト部
２１、５１  ポスト頂部
２１ａ、５１ａ  錐面
２１ｂ、５１ｂ  稜部
２２、５２、７２  ポスト胴部
２４  突出端
２５、５５  スリット（窪み）
３０  雌スナップ
７５  溝
【図１】
2010116501.tif 000003
【図２】
2010116501.tif 000004
【図３】
2010116501.tif 000005
【図４】
2010116501.tif 000006
【図５】
2010116501.tif 000007
【図６】
2010116501.tif 000008
【図７】
2010116501.tif 000009
【図８】
2010116501.tif 000010
【図９】
2010116501.tif 000011
【図１０】
2010116501.tif 000012
【図１１】
2010116501.tif 000013
【図１２】
2010116501.tif 000014
【国際調査報告】
2010116501.tif 000015
2010116501.tif 000016
2010116501.tif 000017
2010116501.tif 000018